(57)【要約】【課題】柱上開閉器の維持管理にかかる作業効率の向上を図り、作業者にかかる負担軽減を図ること。【解決手段】柱上開閉器１００が、中空箱型のキュービクル１０１と、キュービクル１０１内に収容された開閉機構を備え、キュービクル１０１内における帯水量が所定の閾値を超えた場合に、管理コンピュータ３１０に対して帯水検出通知を出力するようにしたので、柱上開閉器１００ごとに、雨水侵入などに起因するキュービクル１０１内の帯水量が所定の閾値を超えたか否かを、管理コンピュータ３１０において一括して管理することができ、キュービクル１０１内において帯水が発生している柱上開閉器１００を容易かつ確実に特定することができる。【選択図】図３
2020153957.tif 000002
【特許請求の範囲】
【請求項１】
中空箱型のキュービクルと、
前記キュービクル内に収容された開閉機構と、
前記キュービクル内における帯水量が所定の閾値を超えた場合に、管理コンピュータに対して帯水検出通知を出力する通知部と、
を備えたことを特徴とする柱上開閉器。
【請求項２】
前記キュービクルの外側底面に設けられ、キュービクル内における帯水量が所定の閾値を超えたことを報知する報知部を備えたことを特徴とする請求項１に記載の柱上開閉器。
【請求項３】
中空箱型のキュービクル内に収容された開閉機構、および、前記キュービクル内における帯水量が所定の閾値を超えた場合に帯水検出通知を出力する通知部を備えた柱上開閉器と、
前記柱上開閉器から出力された帯水検出通知を受信し、受信した帯水検出通知に基づいて当該柱上開閉器の前記キュービクル内における帯水量に関する情報を出力する出力部を備えた管理コンピュータと、
を備えたことを特徴とする帯水量監視システム。
【発明の詳細な説明】
【技術分野】
【０００１】
この発明は、キュービクル内における帯水を監視する柱上開閉器および帯水量監視システムに関する。
【背景技術】
【０００２】
高圧架空配電線路には、電柱などの柱状体に設置され、当該高圧架空配電線路の開閉をおこなう柱上開閉器が設けられている。このような巡視点検は、双眼鏡などを用いて地上から目視することによっておこなっている。
【０００３】
柱上開閉器は、キュービクル内に、ＬＢＳ（Ｌｏａｄ  Ｂｒｅａｋ  Ｓｗｉｔｃｈ：負荷開閉器）やＶＣＢ（Ｖａｃｕｕｍ  Ｃｉｒｃｕｉｔ  Ｂｒｅａｋｅｒ：真空遮断機）などの保護装置を収容している。柱上開閉器のキュービクルは、太陽光による紫外線や風雨にさらされることによる劣化や発錆などによって腐食し、孔があいてしまうことがある。この孔からキュービクル内に雨水が侵入すると、短絡などに起因する配電線事故が発生するおそれがある。このため、キュービクル内への雨水浸入は、早期に発見する必要がある。
【０００４】
一方で、柱上開閉器の雨水侵入は、電柱を１本ずつ巡視点検することによる地上からの目視により不良が疑われる柱上開閉器を発見してから、電柱に昇柱して当該柱上開閉器の点検をおこなったり、専用の雨水診断装置を用いた診断をおこなったりすることによって発見に至るケースがほとんどであり、発見するまでに時間を要していた。
【０００５】
また、配電線事故は、柱上開閉器の不良のみならず、その他の各種の要因によって発生するため、電柱を１本ずつ巡視点検することによる配電線事故の発生原因の特定は、キュービクル内への雨水浸入を発見するまでに時間を要していた。特に、事故区間が広い場合や巡視点検の対象となる柱上開閉器の台数が多い場合は、キュービクル内への雨水浸入を発見するまでに時間を要していた。
【０００６】
関連する技術として、具体的には、従来、たとえば、浸水判定装置の裏面に取り付けた取付部材を把持可能な把持部を備えた取付冶具を用いて、把持部により取付部材を把持した状態の取付冶具により、浸水判定装置を開閉器に押し付けることで開閉器の底面に取り付けるようにした浸水判定装置の取付方法に関する技術があった（たとえば、下記特許文献１を参照。）。
【０００７】
また、関連する技術として、具体的には、従来、たとえば、開閉器の表面に取り付けられた状態で当該開閉器内の浸水状況を判定する浸水判定装置を、押し出して吸盤により開閉器Ｓの表面に吸着させるようにした浸水判定装置の取付方法及び取付冶具に関する技術があった（たとえば、下記特許文献２を参照。）。
【先行技術文献】
【特許文献】
【０００８】
【特許文献１】特開２０１１−０８９８０７号公報
【特許文献２】特開２０１１−０８９８０６号公報
【発明の概要】
【発明が解決しようとする課題】
【０００９】
しかしながら、上述したように、地上からの目視により柱上開閉器の巡視点検をおこなう従来の技術は、配電線事故が発生するまで柱上開閉器の雨水侵入を発見することが難しいという問題があった。
【００１０】
また、配電線事故は各種の要因によって発生するため、上述したように昇柱して柱上開閉器の点検をおこなう従来の技術は、配電線事故の発生に応じた巡視点検に際して雨水が侵入した柱上開閉器を発見した場合にも、当該柱上開閉器における雨水浸入が配電線事故の発生原因であったと判明するまでに時間がかかるという問題があった。
【００１１】
また、上述した特許文献１に記載された従来の技術は、専用の取付治具を用いた浸水判定装置の取付方法に関する技術であって、実際に雨水の浸水が発生した柱上開閉器の発見の精度および効率の向上を図ることが難しいという問題があった。
【００１２】
また、上述した特許文献２に記載された従来の技術は、浸水判定装置による判定結果を、浸水判定装置ごとに個別に確認しなければならないため、作業が繁雑であって、開閉器における浸水を迅速に発見することが難しいという問題があった。また、上述した特許文献２に記載された従来の技術は、浸水判定装置ごとに判定結果の確認のための機器が必要になるため、設置（取り付け）や管理にかかる作業が煩雑になり、設備コストがかさむという問題があった。
【００１３】
この発明は、上述した従来技術による問題点を解消するため、柱上開閉器の維持管理にかかる作業効率の向上を図り、作業者にかかる負担軽減を図ることができる柱上開閉器および帯水量監視システムを提供することを目的とする。
【課題を解決するための手段】
【００１４】
上述した課題を解決し、目的を達成するため、この発明にかかる柱上開閉器は、中空箱型のキュービクルと、前記キュービクル内に収容された開閉機構と、前記キュービクル内における帯水量が所定の閾値を超えた場合に、管理コンピュータに対して帯水検出通知を出力する通知部と、を備えたことを特徴とする。
【００１５】
また、この発明にかかる柱上開閉器は、上記の発明において、前記キュービクルの外側底面に設けられ、キュービクル内における帯水量が所定の閾値を超えたことを報知する報知部を備えたことを特徴とする。
【００１６】
また、この発明にかかる帯水量監視システムは、中空箱型のキュービクル内に収容された開閉機構、および、前記キュービクル内における帯水量が所定の閾値を超えた場合に帯水検出通知を出力する通知部を備えた柱上開閉器と、前記柱上開閉器から出力された帯水検出通知を受信し、受信した帯水検出通知に基づいて当該柱上開閉器の前記キュービクル内における帯水量に関する情報を出力する出力部を備えた管理コンピュータと、を備えたことを特徴とする帯水量監視システム。
【発明の効果】
【００１７】
この発明にかかる柱上開閉器および帯水量監視システムによれば、柱上開閉器の維持管理にかかる作業効率の向上を図り、作業者にかかる負担軽減を図ることができるという効果を奏する。
【図面の簡単な説明】
【００１８】
【図１】この発明にかかる実施の形態の柱上開閉器の外観を示す説明図（その１）である。
【図２】この発明にかかる実施の形態の柱上開閉器の外観を示す説明図（その２）である。
【図３】この発明にかかる実施の形態の帯水量監視システムのシステム構成を示す説明図である。
【図４】この発明にかかる実施の形態の帯水量監視システムのハードウエア構成を示す説明図である。
【図５】この発明にかかる実施の形態の帯水量監視システムを用いて報知される報知内容の一例を示す説明図（その１）である。
【図６】この発明にかかる実施の形態の帯水量監視システムを用いて報知される報知内容の一例を示す説明図（その２）である。
【発明を実施するための形態】
【００１９】
以下に添付図面を参照して、この発明にかかる柱上開閉器および帯水量監視システムの好適な実施の形態を詳細に説明する。
【００２０】
まず、この発明にかかる実施の形態の柱上開閉器の構成について説明する。図１および図２は、この発明にかかる実施の形態の柱上開閉器の外観を示す説明図である。図１においては、この発明にかかる実施の形態の柱上開閉器を、鉛直方向上側から見た状態を示している。図２においては、この発明にかかる実施の形態の柱上開閉器を、鉛直方向下側から見た状態を示している。
【００２１】
図１において、この発明にかかる実施の形態の柱上開閉器（高圧気中負荷開閉器）１００は、電柱Ｐなどに設置される。柱上開閉器１００は、キュービクル１０１を備えている。キュービクル１０１は、中空の箱型形状をなす。キュービクル１０１は、たとえば、鉄、ステンレスなどを用いて形成されている。
【００２２】
キュービクル１０１の外側には、指標１０２や指針１０３および接続端子１０４が設けられている。指標１０２は、「入／切」などのように、柱上開閉器１００が取り得る状態を文字によって示す。指針１０３は、指標１０２が設けられている面と同じ面に軸支されており、軸支された位置を中心として揺動可能に設けられている。指針１０３は、開閉機構の切り替え動作に連動して揺動し、開閉機構が「入」状態（閉状態）であるか「切」状態（開状態）であるかを指し示す。図１において、指針１０３は、開閉機構が「切」状態であること、すなわち、開閉機構が開状態であることを指し示している。
【００２３】
接続端子１０４には、高圧架空配電線路を構成する電線１０５が電気的に接続される。電線１０５は、導体によって形成されたケーブル本体と、当該ケーブル本体を覆う被覆と、を備えている。ケーブル本体は、導電性を有する材料を用いて形成され、一次側の接続端子１０４と二次側の接続端子１０４とを電気的に接続する。被覆は、絶縁材料によって形成されており、具体的には、たとえば、架橋ポリエチレンなどによって形成することができる。
【００２４】
接続端子１０４は、金属材料などの導電性を有する物質を用いて形成されており、所定の端子カバーによって覆われている。接続端子１０４は、キュービクル１０１において略対向する２つの面にそれぞれ３つずつ設けられている。キュービクル１０１において略対向する２つの面のうち、一方の面に設けられた接続端子１０４（図示を省略する）には、一次側（電源側）の線路が接続される。また、キュービクル１０１において略対向する２つの面のうち、他方の面に設けられた接続端子１０４には、二次側（負荷側）の線路が接続される。
【００２５】
キュービクル１０１は、中空箱型をなす内側の空間に零相変流器や開閉機構などの各種の部材を備えている（いずれも図示を省略する）。また、キュービクル１０１は、内側の空間に、開閉時に発生するアークを冷却して消弧する消弧機構（図示を省略する）を備えている。開閉機構は、キュービクル１０１における一方の面に設けられた接続端子１０４とキュービクル１０１における他方の面に設けられた接続端子１０４との間を、電気的に接続する閉状態および電気的接続を切断する開状態に切り替える。
【００２６】
図２に示すように、キュービクル１０１の外側底面には、帯水センサー２０１が設けられている。帯水センサー２０１は、ヒーターや温度センサー（いずれも図示を省略する）を備えている。温度センサーは、ヒーターの近傍におけるキュービクル１０１の底面の温度を検出する。帯水センサー２０１は、キュービクル１０１の底面の一部をヒーターによって加熱し、加熱位置の近傍における温度変化を温度センサーによって測定して、測定結果に基づいて単位時間あたりに上昇した温度を算出し、算出した温度に基づいてキュービクル１０１内における帯水量を検出する。
【００２７】
帯水センサー２０１は、精密な帯水量を検出するものに限らず、キュービクル１０１内における帯水量が所定の閾値を超えたか否かを判定するものであればよい。キュービクル１０１の底面に取り付けたヒーターや温度センサーを用いてキュービクル１０１内における帯水量を検出する帯水センサー２０１は、公知の各種の技術を用いて容易に実現可能であるため、説明を省略する。
【００２８】
また、キュービクル１０１の外側底面には、ＬＥＤ（Ｌｉｇｈｔ  Ｅｍｉｔｔｉｎｇ  Ｄｉｏｄｅ）２０２が設けられている。ＬＥＤ２０２は、キュービクル１０１内における帯水量が所定の閾値を超えたことを報知する。この実施の形態において、ＬＥＤ２０２は、この発明にかかる報知部を実現する。
【００２９】
具体的に、ＬＥＤ２０２は、たとえば、キュービクル１０１内における帯水量がない、あるいは、キュービクル１０１内における帯水量が所定の閾値以下である場合に緑色で発光し、キュービクル１０１内における帯水量が所定の閾値を超えた場合に赤色で発光することによって、キュービクル１０１内における帯水量が所定の閾値を超えたことを報知することができる。複数色で発光可能なＬＥＤ２０２を用いることにより、さらに、柱上開閉器１００に異常が発生した場合に、ＬＥＤ２０２を赤色で発光させ、異常の発生を報知するようにしてもよい。
【００３０】
このように、キュービクル１０１の外側底面に、所定の閾値に対するキュービクル１０１内における帯水量に応じて異なる色で発光するＬＥＤ２０２を備えることにより、作業者は、柱上開閉器１００の巡視点検などに際して、電柱Ｐに昇柱することなく、地上からキュービクル１０１の底面を目視することによって、キュービクル１０１内における帯水量の多少を容易に把握することができる。
【００３１】
報知部を実現するＬＥＤ２０２は、柱上開閉器１００における帯水量の検出機能が有効に動作しているか否かに応じて、発光と消灯とを切り替えるものであってもよい。具体的に、このようなＬＥＤ２０２によって報知部を実現する場合、たとえば、キュービクル１０１内における帯水量がない、あるいは、キュービクル１０１内における帯水量が所定の閾値以下である場合にＬＥＤ２０２を消灯させ、キュービクル１０１内における帯水量が所定の閾値を超えた場合にＬＥＤ２０２を発光させる。
【００３２】
これにより、発光色が単色のＬＥＤ２０２を用いて、所定の閾値に対するキュービクル１０１内における帯水量の多少を報知することができる。そして、これによって、作業者は、柱上開閉器１００の巡視点検などに際して、電柱Ｐに昇柱することなく、地上からキュービクル１０１の底面を目視することによって、キュービクル１０１内における帯水量の多少を容易に把握することができる。
【００３３】
（帯水量監視システムのシステム構成）
つぎに、この発明にかかる実施の形態の帯水量監視システムのシステム構成について説明する。図３は、この発明にかかる実施の形態の帯水量監視システムのシステム構成を示す説明図である。
【００３４】
図３に示すように、この発明にかかる実施の形態の帯水量監視システム３００は、上述した柱上開閉器１００と、管理コンピュータ３１０と、を備えている。柱上開閉器１００は、ＧＰＳ（Ｇｌｏｂａｌ  Ｐｏｓｉｔｉｏｎｉｎｇ  Ｓｙｓｔｅｍ）衛星３０１から送信されるＧＰＳ信号を受信して、受信したＧＰＳ信号に基づいて柱上開閉器１００の設置位置を算出する（測位をおこなう）。
【００３５】
また、柱上開閉器１００は、帯水センサー２０１の検出結果に基づいて、キュービクル１０１内における帯水量が所定の閾値を超えた場合に、帯水検出通知を出力する。帯水検出通知は、ＧＰＳ信号に基づいて算出した柱上開閉器１００の設置位置に関する情報を含む。柱上開閉器１００が出力した帯水検出通知は、インターネットなどのネットワークを介して、管理コンピュータ３１０に送信される。
【００３６】
あるいは、帯水検出通知は、柱上開閉器１００の設置位置に関する情報に加えて、あるいは代えて、帯水検出通知の出力元となる柱上開閉器１００の識別情報を含んでいてもよい。柱上開閉器１００の識別情報は、柱上開閉器１００ごとに一意の情報であって、たとえば、帯水量監視システム３００の管理者によって任意に設定することができる。具体的に、柱上開閉器１００の識別情報は、柱上開閉器１００の設置順や設置場所などに基づいて順次付与した通し番号であってもよく、事業所の識別情報と当該事業所ごとの通し番号とを組み合わせた番号などであってもよい。
【００３７】
管理コンピュータ３１０は、柱上開閉器１００を管理する電力会社などによって管理されるコンピュータ装置であって、汎用的なコンピュータ装置によって実現することができる。この実施の形態の帯水量監視システム３００において、管理コンピュータ３１０には、端末装置が接続されている。端末装置は、パーソナルコンピュータなどの汎用的なコンピュータ装置によって実現することができる。端末装置は、管理コンピュータ３１０が受信した帯水検出通知に基づき、柱上開閉器１００の帯水状況などを可視化して出力する表示装置を備えている。
【００３８】
（帯水量監視システム３００のハードウエア構成）
つぎに、この発明にかかる実施の形態の帯水量監視システム３００のハードウエア構成について説明する。図４は、この発明にかかる実施の形態の帯水量監視システム３００のハードウエア構成を示す説明図である。
【００３９】
図４に示すように、この発明にかかる実施の形態の帯水量監視システム３００を構成する柱上開閉器１００は、ＣＰＵ（Ｃｅｎｔｒａｌ  Ｐｒｏｃｅｓｓｉｎｇ  Ｕｎｉｔ）４１１、メモリ４１２、通信Ｉ／Ｆ（ＩｎｔｅｒＦａｃｅ）４１６、ＧＰＳ（Ｇｌｏｂａｌ  Ｐｏｓｉｔｉｏｎｉｎｇ  Ｓｙｓｔｅｍ）受信機４１３、帯水センサー２０１、ＬＥＤ２０２、電源４１４を備えている。
【００４０】
ＣＰＵ４１１は、メモリ４１２に記憶された制御プログラムに基づいて演算を実行することにより、柱上開閉器１００が備える各部の制御をつかさどる。また、ＣＰＵ４１１は、演算に際して、メモリ４１２をワークエリアとして使用する。ＣＰＵ４１１やメモリ４１２は、たとえば、帯水センサー２０１と同様に、キュービクル１０１の外側底面に設けることができる。
【００４１】
具体的に、ＣＰＵ４１１は、たとえば、帯水センサー２０１の出力信号の入力を受け付け、当該出力信号に基づいてキュービクル１０１内における帯水量が所定の閾値を超えたか否かを判定する。そして、ＣＰＵ４１１は、キュービクル１０１内における帯水量が所定の閾値を超えたと判定した場合に、通信Ｉ／Ｆ４１６を制御して、帯水検出通知を出力する。
【００４２】
また、具体的に、ＣＰＵ４１１は、たとえば、ＧＰＳ受信機４１３による測位結果（柱上開閉器１００の設置位置に関する情報）の入力を受け付け、通信Ｉ／Ｆ４１６を制御して、当該測位結果を含む帯水検出通知を出力する。あるいは、具体的に、ＣＰＵ４１１は、たとえば、メモリ４１２が記憶する柱上開閉器１００の識別情報の入力を受け付け、通信Ｉ／Ｆ４１６を制御して、当該識別情報を含む帯水検出通知を出力してもよい。
【００４３】
メモリ４１２は、帯水センサー２０１による検出結果や、当該検出結果に基づくＣＰＵ４１１の判定結果などの情報を記憶してもよい。また、メモリ４１２は、帯水センサー２０１による検出結果や、当該検出結果に基づくＣＰＵ４１１の判定結果が得られた日時に関する情報をあわせて記憶していてもよい。日時に関する情報は、たとえば、ＣＰＵ４１１が備える計時機能によって得ることができる。あるいは、日時に関する情報は、たとえば、ＧＰＳ受信機４１３が受信するＧＰＳ信号に基づいて得ることができる。
【００４４】
通信Ｉ／Ｆ４１６は、インターネットなどのネットワーク３０２に接続され、ネットワーク３０２を介して管理コンピュータ３１０に接続される。通信Ｉ／Ｆは、ネットワーク３０２と柱上開閉器１００の内部とのインターフェースをつかさどり、柱上開閉器１００と管理コンピュータ３１０との間におけるデータの入出力を制御する。
【００４５】
ＧＰＳ受信機４１３は、ＧＰＳ衛星３０１からの電波（ＧＰＳ信号）を受信し、ＧＰＳ衛星３０１と柱上開閉器１００との幾何学的位置を求める、いわゆる、測位をおこなう。具体的に、ＧＰＳ受信機４１３は、アンテナと、ＲＦ（Ｒａｄｉｏ  Ｆｒｅｑｕｅｎｃｙ）ブロックと、ベースバンドＩＣ（Ｉｎｔｅｇｒａｔｅｄ  Ｃｉｒｃｕｉｔ）と、によって構成されている。
【００４６】
アンテナは、ＧＰＳ衛星３０１が放送する電波を受信する。アンテナは、アクティブ型であってもよく、パッシブ型であってもよい。ＲＦブロックは、アンテナが受信した変調前の信号をベースバンド信号に復調する。ベースバンドＩＣは、ＲＦブロックが復調したベースバンド信号に基づいて柱上開閉器１００の設置位置を測位する。具体的に、ベースバンドＩＣは、４機のＧＰＳ衛星３０１との距離をそれぞれ算出し、それぞれの距離が一つに交わる位置を算出することによって測位をおこなう。ＧＰＳ受信機４１３は、ベースバンド部によって算出した柱上開閉器１００の設置位置に関する情報、すなわち、測位結果をＣＰＵに出力する。
【００４７】
なお、帯水量監視システム３００において用いる、柱上開閉器１００の設置位置の算出にかかる衛星測位システムは、ＧＰＳに限るものではない。帯水量監視システム３００においては、ＧＰＳに代えて、みちびき、グローナス（ＧＬＯＮＡＳＳ）、ガリレオ（Ｇａｌｉｌｅｏ）などの衛星測位システムを用いて柱上開閉器１００の設置位置を特定してもよい。
【００４８】
帯水センサー２０１は、上記のようにヒーターや温度センサーを備えており、キュービクル１０１の底面の一部をヒーターによって加熱する。また、帯水センサー２０１は、ヒーターによる加熱位置の近傍における温度変化を温度センサーによって測定して、測定結果に基づいて単位時間あたりに上昇した温度を算出し、算出した温度に基づいてキュービクル１０１内における帯水量を検出し、検出結果に基づく帯水検出通知をＣＰＵに出力する。この実施の形態においては、ＣＰＵ４１１、通信Ｉ／Ｆ４１６、帯水センサー２０１などによって、この発明にかかる通知部を実現することができる。
【００４９】
ＬＥＤ２０２は、この発明にかかる実施の形態の報知部を実現し、ＣＰＵ４１１によって制御されて発光したり消灯したりする。ＬＥＤ２０２は、赤色および緑色などのように、複数色の発光が可能であってもよく、赤色のみなどのように、単色の光を発するものであってもよい。ＬＥＤ２０２によって報知部を実現することにより、柱上開閉器１００の大型化や重量の増大をともなうことなく、キュービクル１０１内における帯水量が所定の閾値を超えたことを報知することができる。
【００５０】
電源４１４は、柱上開閉器１００が備える各部に駆動電源４１４を供給する。電源４１４は、たとえば、電池によって実現することができる。あるいは、電源４１４は、入射した太陽光を光電変換することによって発電するソーラーパネルおよびソーラーパネルによって発電した電気を蓄電する蓄電池などによって実現してもよい。また、あるいは、電源４１４は、柱上開閉器１００が設置されている電柱Ｐが支持する電線１０５から分流して得られる入力電力から、所定の出力電力を生成する電力回路によって実現してもよい。
【００５１】
管理コンピュータ３１０は、ＣＰＵ４２１、メモリ４２２、通信Ｉ／Ｆ４２３を備えている。ＣＰＵ４２１は、メモリ４２２に記憶された制御プログラムに基づいて演算を実行することにより、管理コンピュータ３１０が備える各部の制御をつかさどる。また、ＣＰＵ４２１は、演算に際して、メモリ４２２をワークエリアとして使用する。
【００５２】
通信Ｉ／Ｆ４２３は、ネットワーク３０２に接続され、ＣＰＵ４２１によって制御されてネットワーク３０２と管理コンピュータ３１０内部とのインターフェースをつかさどる。通信Ｉ／Ｆ４２３は、柱上開閉器１００や端末装置３２０などの外部装置と管理コンピュータ３１０との間におけるデータの入出力を制御する。
【００５３】
ＣＰＵ４２１は、通信Ｉ／Ｆ４２３を介して柱上開閉器１００から出力される帯水検出通知を受信し、受信した帯水検出通知に基づいて当該柱上開閉器１００のキュービクル１０１内における帯水量に関する情報を生成し、生成した情報を通信Ｉ／Ｆを介して端末装置３２０に出力する。この実施の形態においては、ＣＰＵ４２１および通信Ｉ／Ｆ４２３によって、この発明にかかる出力部を実現することができる。
【００５４】
端末装置３２０は、ＣＰＵ４３１、メモリ４３２、通信Ｉ／Ｆ４３３、ディスプレイ４３４、操作部４３５を備えている。ＣＰＵ４３１は、メモリ４３２に記憶された制御プログラムに基づいて演算を実行することにより、端末装置３２０が備える各部の制御をつかさどる。また、ＣＰＵ４３１は、演算に際して、メモリ４３２をワークエリアとして使用する。
【００５５】
通信Ｉ／Ｆ４３３は、ネットワーク３０２に接続され、ＣＰＵ４３１によって制御されてネットワーク３０２と端末装置３２０内部とのインターフェースをつかさどる。通信Ｉ／Ｆ４３３は、たとえば、管理コンピュータ３１０との間におけるデータの入出力を制御する。
【００５６】
ディスプレイ４３４は、ＣＰＵ４３１によって制御されて、管理コンピュータ３１０から出力された情報に基づいて、柱上開閉器１００のキュービクル１０１内における帯水量に関する情報を表示する。ディスプレイ４３４は、柱上開閉器１００ごとに、帯水センサー２０１を取り付けた柱上開閉器１００の設置場所に関する情報や、キュービクル１０１内における帯水量に関する情報を表示する（図５および図６を参照）。
【００５７】
ディスプレイ４３４は、たとえば、液晶パネルによって実現することができる。液晶パネルは、透明電極が組み込まれた一対のガラス基板によって液晶材料（液晶分子）を挟み、このガラス基板に偏光フィルタを設けることによって構成されている。液晶パネルは、電極に電圧を加えて液晶分子の向きを変化させることによって、ガラス基板を透過する光の状態を制御する。また、液晶パネルは、光源として、バックライトを備えている。これにより自らは発光しない液晶分子が表示する画像を照明することができる。
【００５８】
操作部４３５は、端末装置３２０の利用者による入力操作を受け付け、受け付けた入力操作に応じた信号をＣＰＵに出力する。操作部４３５は、たとえば、文字、数値、各種指示などの入力のためのキーを備えたキーボードによって実現することができる。あるいは、操作部４３５は、たとえば、ディスプレイ４３４に積層されたタッチパネルによって実現してもよい。タッチパネルは、たとえば抵抗膜方式や静電容量方式、音響パルス認識方式、超音波表面弾性波方式、赤外遮光方式、画像認識方式など公知の各種の方式のものを用いることができる。
【００５９】
（報知内容の一例）
つぎに、この発明にかかる実施の形態の帯水量監視システム３００を用いて報知される報知内容の一例について説明する。図５および図６は、この発明にかかる実施の形態の帯水量監視システム３００を用いて報知される報知内容の一例を示す説明図である。図５および図６においては、各柱上開閉器１００の帯水状況を、管理コンピュータ３１０に接続された端末装置３２０が備えるディスプレイ４３４に表示して報知する場合の表示画面例を示している。
【００６０】
図５に示す表示画面５００は、帯水センサー２０１を取り付けた柱上開閉器１００の設置場所に関する情報を表示する。具体的に、帯水センサー２０１を取り付けた柱上開閉器１００の設置場所は、配電系統図に、該当する柱上開閉器１００の位置に所定のマークを表示することによって報知することができる。
【００６１】
配電系統図に表示するマークは、帯水センサー２０１を取り付けた柱上開閉器１００と、帯水センサー２０１を取り付けていない柱上開閉器１００と、でそれぞれ異ならせてもよい。これにより、表示画面５００を目視することによって、柱上開閉器１００の位置と、各柱上開閉器１００における帯水センサー２０１の有無と、を迅速かつ正確に把握することができる。
【００６２】
図６に示す表示画面６００は、キュービクル１０１内における帯水量に関する情報を表示する。表示画面６００は、柱上開閉器１００ごとに、キュービクル１０１内における帯水量に関する情報を表示する。具体的に、表示画面６００は、帯水センサー２０１が取り付けられた柱上開閉器１００ごとに、当該柱上開閉器１００の設置位置（センサー取付箇所）、および当該柱上開閉器１００に取り付けられた帯水センサー２０１の状態を表示する。
【００６３】
キュービクル１０１内における帯水量が所定の閾値以下である柱上開閉器１００については、図６に示すように、「センサーの動作」が「良好」であることを表示する。キュービクル１０１内における帯水量が所定の閾値を超えた柱上開閉器１００については、図６に示すように、「センサーの動作」が「要点検」であることを表示する。作業者は、ディスプレイ４３４に表示される表示画面を確認することにより、柱上開閉器１００の設置位置まで赴いたり、電柱Ｐに昇柱してキュービクル１０１内における帯水量を確認したりすることなく、キュービクル１０１内における帯水量が所定の閾値を超えた柱上開閉器１００の有無を、一括して、容易かつ確実に把握することができる。
【００６４】
また、表示画面６００は、キュービクル１０１内における帯水量が所定の閾値を超えた柱上開閉器１００について、柱上開閉器１００の交換、水抜きの処置などの対応をおこなった場合に、「センサーの動作」が「要点検」であることの表示をリセットする「リセット実行」キーを表示する。作業者は、「センサーの動作」が「要点検」となった柱上開閉器１００に関して、あらたな柱上開閉器１００に交換したり、キュービクル１０１から水を抜いたりする対応処置をおこなった場合に、表示画面６００において該当する項目をチェックした状態で「リセット実行」キーを操作する。
【００６５】
端末装置３２０は、「リセット実行」キーの操作を受け付けると、該当する柱上開閉器１００に関して対応処置をおこなったことを示す対応完了通知を、管理コンピュータ３１０に出力する。対応完了通知は、該当する柱上開閉器１００の識別情報あるいは設置位置に関する情報を含む。対応完了通知を受信した管理コンピュータ３１０は、自装置がメモリに記憶する記憶内容を更新する。また、端末装置３２０に対して、表示画面６００の更新指示を出力する。端末装置３２０は、更新指示を受信すると、該当する柱上開閉器１００について「センサーの動作」の「要点検」の表示を消し、「センサーの動作」が「良好」であることを表示する。
【００６６】
以上説明したように、この発明にかかる実施の形態の柱上開閉器１００は、中空箱型のキュービクル１０１と、キュービクル１０１内に収容された開閉機構を備え、キュービクル１０１内における帯水量が所定の閾値を超えた場合に、管理コンピュータ３１０に対して帯水検出通知を出力するようにしたことを特徴としている。
【００６７】
この発明にかかる実施の形態の柱上開閉器１００によれば、柱上開閉器１００ごとに、雨水侵入などに起因するキュービクル１０１内の帯水量が所定の閾値を超えたか否かを、管理コンピュータ３１０において一括して管理することができる。これにより、巡視点検によって雨水浸入の疑いがある柱上開閉器１００が設置された電柱Ｐに昇柱して、柱上開閉器１００を１つずつ点検する従来の方法と比較して、キュービクル１０１内において帯水が発生している柱上開閉器１００を容易かつ確実に特定することができる。
【００６８】
また、この発明にかかる実施の形態の柱上開閉器１００によれば、柱上開閉器１００ごとに、雨水侵入などに起因するキュービクル１０１内の帯水量が所定の閾値を超えたか否かを、管理コンピュータ３１０において一括して管理することができるので、雨水侵入などに起因する柱上開閉器１００の不具合を原因とする配電線１０５事故が発生する前に、キュービクル１０１内における帯水量が所定の閾値を超えた柱上開閉器１００を特定し、対応をとることができる。また、電気需要者は、停電などの不具合にかかる損害や損失を被ることなく、安心して電気を使用することができる。
【００６９】
また、この発明にかかる実施の形態の柱上開閉器１００によれば、柱上開閉器１００ごとに、キュービクル１０１内における帯水量が所定の閾値を超えたか否かを把握することができるので、配電線１０５事故が発生した場合に、キュービクル１０１内における帯水を含む、配電線１０５事故の発生原因を早期に特定することができる。これにより、万一、配電線１０５事故が発生した場合にも、停電している時間を短く抑えることができ、停電により電気受給者が受ける不具合を少なく抑えることができる。
【００７０】
また、この発明にかかる実施の形態の柱上開閉器１００によれば、柱上開閉器１００ごとに、キュービクル１０１内における帯水量が所定の閾値を超えたか否かを把握することができるので、実際にキュービクル１０１内の帯水が発生している柱上開閉器１００の発見の精度および効率の向上を図ることができる。
【００７１】
このように、この発明にかかる実施の形態の柱上開閉器１００によれば、柱上開閉器１００の維持管理にかかる作業効率の向上を図り、作業者にかかる負担軽減を図ることができる。
【００７２】
柱上開閉器１００におけるキュービクル１０１の劣化は、太陽光による紫外線や風雨にさらされることに起因する発錆などによる腐食が原因となって進行する。腐食は、太陽光や降雨を受ける、キュービクル１０１の天面ほど発生しやすい。一方で、柱上開閉器１００は高所に設置されているため、巡視点検に際して双眼鏡などを用いて地上から目視しただけでは、キュービクル１０１の腐食による劣化状況を正確に把握することが難しい。
【００７３】
このため、従来は、地上からの目視により不良が疑われる柱上開閉器１００を発見すると、作業者が電柱Ｐに昇柱して目視による確認が必須であり、煩雑な作業を要していた。また、巡視点検をおこなって不良が疑われる柱上開閉器１００を発見してから、電柱Ｐに昇柱して目視による確認をおこなっていたため、キュービクル１０１内への雨水浸入を発見するまでに時間を要していた。
【００７４】
また、地上からの目視による点検では、キュービクル１０１の腐食状況や穴あき状況を確認することが非常に困難であり、点検者によって点検結果に差が生じることがあった。また、開閉器のキュービクル１０１に外観上の著しい腐食が認められない場合にも、たとえば、キュービクル１０１における溶接部分の一部に生じた微小な穴を見逃してしまうこともあった。
【００７５】
これに対し、この発明にかかる実施の形態の柱上開閉器１００は、所定の閾値に対するキュービクル１０１内における帯水量に応じて発光するＬＥＤ２０２がキュービクル１０１の外側底面に設けられているため、地上からは作業者などの手が届かない高い位置に設置されている柱上開閉器１００であっても、キュービクル１０１内における帯水量の多少を、双眼鏡などを用いた地上からの目視によって容易に把握することができる。
【００７６】
また、この発明にかかる実施の形態の帯水量監視システム３００は、柱上開閉器１００から出力された帯水検出通知に基づいて、当該柱上開閉器１００のキュービクル１０１内における帯水量に関する情報を端末装置３２０に出力し、端末装置３２０のディスプレイ４３４などに表示させることができるので、柱上開閉器１００の設置位置まで赴いたり、電柱Ｐに昇柱してキュービクル１０１内における帯水量を確認したりすることなく、キュービクル１０１内における帯水量を把握することができる。また、ディスプレイ４３４において、複数の柱上開閉器１００における帯水センサー２０１の動作状況の一覧を表示することにより、キュービクル１０１内における帯水量が所定の閾値を超えた柱上開閉器１００の有無を、一括して容易かつ確実に把握することができる。
【００７７】
これにより、柱上開閉器１００の維持管理にかかる作業効率の向上を図り、作業者にかかる負担軽減を図ることができる。
【００７８】
また、この発明にかかる実施の形態の柱上開閉器１００は、キュービクル１０１の外側底面に設けられ、キュービクル１０１内における帯水量が所定の閾値を超えたことを報知する報知部を実現するＬＥＤ２０２を備えたことを特徴としている。
【００７９】
この発明にかかる実施の形態の柱上開閉器１００によれば、キュービクル１０１内において帯水が発生しているかどうかを、柱上開閉器１００の設置位置において地上から柱上開閉器１００を目視することによって確認することができる。これにより、巡視点検によって雨水浸入の疑いがある柱上開閉器１００が設置された電柱Ｐに昇柱して、柱上開閉器１００を１つずつ点検する従来の方法と比較して、キュービクル１０１内において帯水が発生している柱上開閉器１００を容易かつ確実に特定することができる。そして、これによって、柱上開閉器１００の維持管理にかかる作業効率の向上を図り、作業者にかかる負担軽減を図ることができる。
【００８０】
また、この発明にかかる実施の形態の帯水量監視システム３００は、中空箱型のキュービクル１０１内に収容された開閉機構、および、キュービクル１０１内における帯水量が所定の閾値を超えた場合に帯水検出通知を出力する通知部を備えた柱上開閉器１００と、柱上開閉器１００から出力された帯水検出通知を受信し、受信した帯水検出通知に基づいて当該柱上開閉器１００のキュービクル１０１内における帯水量に関する情報を出力する出力部を備えた管理コンピュータ３１０と、を備えたことを特徴としている。
【００８１】
この発明にかかる実施の形態の帯水量監視システム３００によれば、柱上開閉器１００ごとに、雨水侵入などに起因するキュービクル１０１内の帯水量が所定の閾値を超えたか否かを、柱上開閉器１００が設置された電柱Ｐに昇柱することなく、容易かつ確実に把握することができる。これにより、巡視点検によって雨水浸入の疑いがある柱上開閉器１００が設置された電柱Ｐに昇柱して、柱上開閉器１００を１つずつ点検する従来の方法と比較して、キュービクル１０１内において帯水が発生している柱上開閉器１００を容易かつ確実に特定することができる。
【００８２】
そして、このように柱上開閉器１００ごとの浸水状況をリアルタイムで把握することにより、浸水による被害が拡大する前に、柱上開閉器１００の交換や修理などの対応を早急にとることができる。これにより、柱上開閉器１００の動作の信頼性を長期にわたって確保することができる。
【００８３】
なお、この実施の形態で説明した帯水量管理方法は、あらかじめ用意されたプログラムをパーソナルコンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワーク３０２を介して配布することが可能な伝送媒体であってもよい。
【産業上の利用可能性】
【００８４】
以上のように、この発明にかかる柱上開閉器および帯水量監視システムは、キュービクル内における帯水を監視する柱上開閉器および帯水量監視システムに有用であり、特に、高所に設置される柱上開閉器および当該柱上開閉器のキュービクル内における帯水を監視する帯水量監視システムに適している。
【符号の説明】
【００８５】
１００  柱上開閉器
１０１  キュービクル
１０４  接続端子
２０１  帯水センサー
２０２  ＬＥＤ
３００  帯水量監視システム
３１０  管理コンピュータ
３２０  端末装置
【図１】
2020153957.tif 000003
【図２】
2020153957.tif 000004
【図３】
2020153957.tif 000005
【図４】
2020153957.tif 000006
【図５】
2020153957.tif 000007
【図６】
2020153957.tif 000008